(57)【要約】【課題】誤接続が発生したとしても、ケーブルの破損を防ぐようにすること。【解決手段】撮像装置（１００）は、電子機器を接続する手段と、接続する電子機器によって入力電圧が異なる端子と、入力電圧をアナログデジタル変換して取得する手段と、取得した電圧値より配線配置を判定する手段と、通信に関する電源を供給する手段と、接続する電子機器と通信する手段と、通信により得た情報から電子機器を判定する手段と、通信に関する以外の電源を供給する手段とを有し、通信により得た情報から電子機器を判定してから、前記通信に関する以外の電源を供給することを特徴とする。【選択図】図１
2017022541.tif 000002
【特許請求の範囲】
【請求項１】
電子機器を接続する手段と、
接続する電子機器によって入力電圧が異なる端子と、
入力電圧をアナログデジタル変換して取得する手段と、
取得した電圧値より配線配置を判定する手段と、
通信に関する電源を供給する手段と、
接続する電子機器と通信する手段と、
通信により得た情報から電子機器を判定する手段と、
通信に関する以外の電源を供給する手段と
を有し、
通信により得た情報から電子機器を判定してから、前記通信に関する以外の電源を供給することを特徴とする撮像装置。
【請求項２】
電子機器毎の起動シーケンスを記憶する手段を有し、
通信により判定した電子機器に対応した起動シーケンスに従って電子機器を起動させることを特徴とする請求項１に記載の撮像装置。
【請求項３】
通信により取得した起動シーケンスに従って電子機器を起動させることを特徴とする請求項１に記載の撮像装置。
【請求項４】
取得した電圧値より配線配置を判定した結果をユーザに知らせることを特徴とする請求項１に記載の撮像装置。
【請求項５】
通信により得た情報から電子機器を判定した結果をユーザに知らせることを特徴とする請求項１に記載の撮像装置。
【発明の詳細な説明】
【技術分野】
【０００１】
本発明は、ケーブルを介して接続された電子機器の種類を判定することができる撮像装置等に関する。
【背景技術】
【０００２】
撮像装置と外部の電子機器とを接続する撮像システムでは、撮像装置と電子機器とを専用ケーブルで接続するように構成されることがある。そして、コネクタに接続された電子機器については、接続されたコネクタのとある端子の入力電圧から判定することが可能である（特許文献１参照）。
【先行技術文献】
【特許文献】
【０００３】
【特許文献１】特開２０１０−２１１７８２号公報
【発明の概要】
【発明が解決しようとする課題】
【０００４】
拡張性を重視した撮像装置においては、撮像中の画像を表示する表示ユニット、音声入力を行う音声ユニット、或いは、遠隔操作を行う操作ユニットがケーブルにて接続される。
【０００５】
ユーザは、これらの機能ユニットの中から必要なものを選択して接続し、撮像環境を構築して撮像を行う。また、接続するケーブルはコストダウンおよび、撮像環境の構築の容易さ、ケーブルの破損時のバックアップ対策として共通のコネクタを用いられる。
【０００６】
しかしながら、これらの機能ユニットのコネクタが共通化されているがために本来接続するべき端子と異なる端子への誤接続が発生する。誤接続が発生した場合には、ケーブルの破損が生じる可能性がある。
【０００７】
そこで、本発明は、誤接続が発生したとしても、ケーブルの破損を防ぐようにすることを目的とする。
【課題を解決するための手段】
【０００８】
前記目的を達成するために、本発明に係る撮像装置は、電子機器を接続する手段と、接続する電子機器によって入力電圧が異なる端子と、入力電圧をアナログデジタル変換して取得する手段と、取得した電圧値より配線配置を判定する手段と、通信に関する電源を供給する手段と、接続する電子機器と通信する手段と、通信により得た情報から電子機器を判定する手段と、通信に関する以外の電源を供給する手段とを有し、通信により得た情報から電子機器を判定してから、前記通信に関する以外の電源を供給することを特徴とする。
【発明の効果】
【０００９】
本発明に係る撮像装置によれば、誤接続が発生したとしても、ケーブルの破損を防ぐことができる。
【図面の簡単な説明】
【００１０】
【図１】実施形態１〜５における撮像装置１００が有する構成要素の一例を説明するためのブロック図である。
【図２】実施形態１〜５における撮像システムが有する構成要素の一例を説明するための図である。
【図３】実施形態１における撮像装置１００で行われる処理の一例を説明するためのフローチャートである。
【図４】実施形態２における撮像装置１００で行われる処理の一例を説明するためのフローチャートである。
【図５】実施形態３における撮像装置１００で行われる処理の一例を説明するためのフローチャートである。
【図６】実施形態４における撮像装置１００で行われる処理の一例を説明するためのフローチャートである。
【図７】実施形態５における撮像装置１００で行われる処理の一例を説明するためのフローチャートである。
【発明を実施するための形態】
【００１１】
以下、図面を参照して本発明の実施形態を説明する。ただし、本発明の実施形態は以下の実施形態に限定されるものではない。
【００１２】
［実施形態１］
図１は、実施形態１〜５における撮像装置１００が有する構成要素の一例を説明するためのブロック図である。
【００１３】
図１において、撮像装置１００は、撮像時に画像を取り込む撮像レンズ１０１、撮像レンズ１０１から得られた光をアナログ信号へ変換するセンサ１０２、センサ１０２から出力されるアナログ信号をデジタル化するＡ／Ｄコンバータ１０３、Ａ／Ｄコンバータ１０３から出力されたデジタル信号を処理し記録および再生等を行なうカメラ信号記録再生回路１０４、撮像された画像を記録および再生される記録媒体１０５、ユーザからの操作を受け付ける操作入力部１０６、各部デバイスに命令を出す制御部１０７、入出力される画像および音声信号の処理を行う画像音声信号処理回路１０８、操作ユニットが接続される操作ユニット端子１０９、表示ユニットが接続される表示ユニット端子１１０、音声ユニットが接続される音声ユニット端子１１１、操作ユニット端子１０９へ通信に用いられる電源のみを供給する通信用電源回路１１２、表示ユニット端子１１０へ通信に用いられる電源のみを供給する通信用電源回路１１３、音声ユニット端子１１１へ通信に用いられる電源のみを供給する通信用電源回路１１４、操作ユニット端子１０９と表示ユニット端子１１０と音声ユニット端子１１１と通信用電源回路１１２と通信用電源回路１１３と通信用電源回路１１４へ電源を供給する電源部１１５、ユーザに対して情報の表示を行う表示部１１６等を有する。
【００１４】
次に、図１を参照し、外部の電子機器と接続された撮像装置１００がその電子機器と情報のやりとりを行うまでの流れを説明する。
【００１５】
撮像レンズ１０１は撮像対象からの光を集束させてセンサ１０２へと導く役割を持っている。また、特に図示しないが撮像レンズ１０１は制御部１０７からの信号により撮像風景の範囲を決めるズームレンズと、撮像対象への焦点調整を行なうフォーカスレンズと、画像の輝度を調整するアイリス機構等を有する。
センサ１０２は制御部１０７からの信号に従い撮像し、撮像レンズ１０１からの光をアナログ信号に変換しＡ／Ｄコンバータ１０３へ出力する。Ａ／Ｄコンバータ１０３はセンサ１０２からのアナログ信号をデジタル信号へと変換してカメラ信号記録再生回路１０４へ出力する。カメラ信号記録再生回路１０４はＡ／Ｄコンバータ１０３からのデジタル信号を受けて画像として記録媒体１０５へと記録したり、記録媒体１０５に記録された画像を再生したり、画像音声信号処理回路１０８に対して画像信号を出力したりする役割を持っている。
記録媒体１０５は半導体メモリやＨＤＤ（Ｈａｒｄ  Ｄｉｓｃ  Ｄｒｉｖｅ）装置などがそれに相当し、撮像装置１００によって撮像された画像を記録されたり、撮像した画像を再生する際に読み出される役割を持っている。操作入力部１０６はユーザが直接操作できる部分で、ボタンスイッチや切り替えスイッチなどのインターフェース部である。ユーザが操作入力部１０６を操作することを制御部１０７が読み取って各デバイスを制御する。
撮像動作の開始や停止といった動作モードの切り替え等はユーザが操作入力部１０６を操作することで制御部１０７に信号が送られて制御部１０７が各デバイスを制御する。制御部１０７はＣＰＵ（Ｃｅｎｔｒａｌ  Ｐｒｏｃｅｓｓｉｎｇ  Ｕｎｉｔ）をもったマイクロコンピュータで撮像装置１００の制御装置として機能する。制御部１０７はユーザの操作を各デバイスに送るだけでなく、動作モードやユーザの操作に応じたシステムの制御を行う。また、操作ユニット端子１０９および表示ユニット端子１１０および音声ユニット端子１１１における端子電圧のＡ／Ｄ変換や変換した電圧値と配線配置が関連付けられたテーブルの記憶や通信によるデータのやり取りなども行う。
画像音声信号処理回路１０８はカメラ信号記録再生回路１０４から出力された画像信号を制御部１０７からの制御によって処理し、表示ユニット端子１１０へと出力したり、音声ユニット端子１１１から入力された音声信号を制御部１０７からの制御によって処理し、カメラ信号記録再生回路１０４へ出力する。
操作ユニット端子１０９はこの端子に接続された電子機器からの入力電圧を制御部１０７へ伝え、端子に接続された電子機器と制御部１０７の間で通信信号を伝えたり、電子機器と制御部１０７の間で操作信号を伝えたりする。この端子には前記信号以外にも通信用電源回路１１２から出力され通信にのみ使用される電源や、電源部１１５から出力される通信以外に用いられる電源や、各電子機器固有の信号を含んでいる。
表示ユニット端子１１０はこの端子に接続された電子機器からの入力電圧を制御部１０７へ伝え、端子に接続された電子機器と制御部１０７の間で通信信号を伝えたり、画像音声信号処理回路１０８から電子機器へ画像信号を伝えたりする。この端子には前記信号以外にも通信用電源回路１１３から出力され通信にのみ使用される電源や、電源部１１５から出力される通信以外に用いられる電源や、各電子機器固有の信号を含んでいる。
音声ユニット端子１１１はこの端子に接続された電子機器からの入力電圧を制御部１０７へ伝え、端子に接続された電子機器と制御部１０７の間で通信信号を伝えたり、電子機器から画像音声信号処理回路１０８へ音声信号を伝えたりする。この端子には前記信号以外にも通信用電源回路１１４から出力され通信にのみ使用される電源や、電源部１１５から出力される通信以外に用いられる電源や、各電子機器固有の信号を含んでいる。また、前記端子における信号ピンの位置を示す配線配置は、電子機器からの入力電圧と、通信にのみ使用される電源と、通信以外に用いられる電源と、電子機器と制御部１０７の間で行われる通信信号は共通となる。
通信用電源回路１１２は制御部１０７からの信号により電源部１１５からの電力を制限して操作ユニット端子１０９へ出力する。通信用電源回路１１３は制御部１０７からの信号により電源部１１５からの電力を制限して表示ユニット端子１１０へ出力する。通信用電源回路１１４は制御部１０７からの信号により電源部１１５からの電力を制限して音声ユニット端子１１１へ出力する。
電源部１１５は通信用電源回路１１２および通信用電源回路１１３および通信用電源回路１１４へ通信用電力を供給したり、制御部１０７からの信号により操作ユニット端子１０９および表示ユニット端子１１０および音声ユニット端子１１１へ通信以外の電力の供給も行う。表示部１１６は制御部１０７からの制御により、ユーザへ対して必要な情報の表示を行う。
【００１６】
図２は実施形態１〜５における撮像システムが有する構成要素の一例を説明するための図である。
【００１７】
図２に示す撮像システムは、撮像装置２００、電子機器と操作信号のやり取りを行う操作ユニット端子２０１、撮像装置２００から電子機器へ画像信号を出力する表示ユニット端子２０２、電子機器から撮像装置２００へ音声信号を入力する音声ユニット端子２０３、操作ユニット端子２０１と接続されることによりユーザが撮像装置２００から離れて操作することが可能になる電子機器として操作ユニット２０４、操作ユニット端子２０１と操作ユニット２０４を繋ぎ信号を伝える接続ケーブル２０５、表示ユニット端子２０２と接続されることにより撮像中の画像を表示する電子機器として表示ユニット２０６、表示ユニット端子２０２と表示ユニット２０６を繋ぎ信号を伝える接続ケーブル２０７、音声ユニット端子２０３と接続されることにより撮像中の音声を収録する電子機器として音声ユニット２０８、音声ユニット端子２０３と音声ユニット２０８を繋ぎ信号を伝える接続ケーブル２０９、撮像装置１００へ電力を伝える電源ケーブル２１０を含んでいる。
【００１８】
この構成において、外部の電子機器を接続して撮像を行う際の流れを説明する。撮像装置２００は、電源ケーブル２１０が接続されることにより電力を供給される。ユーザ操作の伝達を行う電子機器である操作ユニット２０４は、接続ケーブル２０５を介して撮像装置２００の操作ユニット端子２０１へ接続される。また、通信用電源回路１１２から操作ユニット２０４内の図示しない通信回路にのみ使用する電源を供給され、のちに電源部１１５から通信回路以外の電源が供給され、操作信号の伝送が行われることにより、ユーザによる遠隔操作が行われる。画像の表示を行う電子機器である表示ユニット２０６は、接続ケーブル２０７を介して撮像装置２００の表示ユニット端子２０２へ接続される。また、通信用電源回路１１３から表示ユニット２０６内の図示しない通信回路にのみ使用する電源を供給され、のちに電源部１１５より通信回路以外の電源が供給され、画像信号の伝送が行われることにより、撮像中の画像を表示する。音声の入力を行う電子機器である音声ユニット２０８は、接続ケーブル２０９を介して撮像装置２００の音声ユニット端子２０３へ接続される。また、通信用電源回路１１４から音声ユニット２０８内の図示しない通信回路にのみ使用する電源を供給され、のちに電源部１１５より通信回路以外の電源が供給され、音声信号の伝送が行われることにより、撮像中の音声を収録する。また、接続ケーブル２０５および接続ケーブル２０７および接続ケーブル２０９は、同一の機能を有したケーブルであるため任意に入れ替えることができる。
【００１９】
図３は実施形態１における撮像装置１００で行われる処理の一例を説明するためのフローチャートである。下記の各ステップは、制御部１０７において操作ユニット端子１０９および表示ユニット端子１１０および音声ユニット端子１１１のそれぞれについて実行される。
【００２０】
以下に代表例として操作ユニット端子１０９について説明する。表示ユニット端子１１０および音声ユニット端子１１１も同様に実行される。ステップＳ３００では、コネクタのとある端子にかかる電圧を制御部１０７にてＡ／Ｄ変換を行い電圧値を読み取る。この端子は操作ユニット端子１０９であっても表示ユニット端子１１０であっても音声ユニット端子１１１であっても同じ端子位置に配置される。
【００２１】
ステップＳ３０１では、読み取った電圧値と制御部１０７に記憶されている電圧値と配線配置が関連付けられた図示しないテーブル値との比較を行い何れかの配線配置に該当する値かによって分岐する。読み取った電圧値がテーブル値のいずれかに該当する値である場合、処理はステップＳ３０２へ進む。そうでない場合、処理はステップＳ３００へ進む。
【００２２】
ステップＳ３０２では、読み取った電圧値と、配線配置と電圧値が関連付けられたテーブル値の比較を行い配線配置の判定を行う。
【００２３】
ステップＳ３０３では、通信用電源回路１１２から通信にのみ用いられる電圧もしくは電流が制限された電源の供給を行う。操作ユニット端子１０９に対応する通信用電源回路１１２から操作ユニット端子１０９を経由して操作ユニット端子２０１へ供給される。表示ユニット端子１１０および音声ユニット端子１１１についても同様に通信用電源回路１１３および通信用電源回路１１４から表示ユニット端子２０２および音声ユニット端子２０３へ供給される。
【００２４】
ステップＳ３０４では、接続された電子機器である操作ユニット２０４および表示ユニット２０６および音声ユニット２０８と制御部１０７が通信を行い機器情報を取得して電子機器の判定を行う。
【００２５】
ステップＳ３０５では、通信により取得した機器情報と制御部１０７に記憶されている図示しない機器情報リストとの比較を行い撮像装置１００と接続可能な何れかの電子機器であるかによって分岐する。取得した機器情報が接続可能な電子機器に該当する場合、処理はステップＳ３０６へ進む。そうでない場合、処理はステップＳ３００へ進む。
【００２６】
ステップＳ３０６では、通信で使用する以外の電源が操作ユニット端子１０９と表示ユニット端子１１０と音声ユニット端子１１１において共通の位置に配置されている端子から行われる。電源部１１５から操作ユニット端子１０９もしくは表示ユニット端子１１０もしくは音声ユニット端子１１１を通じて操作ユニット端子２０１および表示ユニット端子２０２および音声ユニット端子２０３へ供給される。
【００２７】
ステップＳ３０７では、電子機器とのデータ送受信が開始され、操作ユニット２０４および表示ユニット２０６および音声ユニット２０８と制御部１０７が通信により情報のやりとりを開始する。
【００２８】
このように、実施形態１では、接続する電子機器の入力電圧により配線配置を判定し、通信に関わる電源を限定的に供給し、通信により電子機器を判定したのちに、通信に関する以外の電源を供給することができる。これにより、実施形態１では、誤接続時に電気信号の衝突や電源のショートによる機器の破損を防ぎ、安心して使える撮像装置１００を構築することができる。
【００２９】
［実施形態２］
次に、図１、図２及び図４を参照し、実施形態２を説明する。実施形態２に係る撮像装置１００が有する構成要素は、実施形態１と同様であるため、それらの説明を省略する。実施形態２に係る撮像システムが有する構成要素も、実施形態１と同様であるため、それらの説明を省略する。
【００３０】
図４は実施形態２における撮像装置１００で行われる処理の一例を説明するためのフローチャートである。下記の各ステップは、制御部１０７において操作ユニット端子１０９および表示ユニット端子１１０および音声ユニット端子１１１のそれぞれについて並列して実行される。
【００３１】
ステップＳ４００では、コネクタのとある端子にかかる電圧を制御部１０７にてＡ／Ｄ変換を行い電圧値を読み取る。この端子は操作ユニット端子１０９であっても表示ユニット端子１１０であっても音声ユニット端子１１１であっても同じ端子位置に配置される。
【００３２】
ステップＳ４０１では、読み取った電圧値と制御部１０７に記憶されている電圧値と配線配置が関連付けられた図示しないテーブル値の比較を行い何れかの配線配置に該当する値かによって分岐する。読み取った電圧値がテーブル値のいずれかに該当する値である場合、処理はステップＳ４０２へ進む。そうでない場合、処理はステップＳ４００へ進む。
【００３３】
ステップＳ４０２では、読み取った電圧値と、配線配置と電圧値が関連付けられたテーブル値の比較を行い配線配置の判定を行う。
【００３４】
ステップＳ４０３では、通信用電源回路１１２から通信にのみ用いられる電圧もしくは電流が制限された電源の供給を行う。操作ユニット端子１０９に対応する通信用電源回路１１２から操作ユニット端子１０９を経由して操作ユニット端子２０１へ供給される。表示ユニット端子１１０および音声ユニット端子１１１についても同様に通信用電源回路１１３および通信用電源回路１１４から表示ユニット端子２０２および音声ユニット端子２０３へ供給される。
【００３５】
ステップＳ４０４では、接続された電子機器である操作ユニット２０４および表示ユニット２０６および音声ユニット２０８と制御部１０７が通信を行い機器情報を取得して電子機器の判定を行う。
【００３６】
ステップＳ４０５では、通信により取得した機器情報と制御部１０７に記憶されている図示しない機器情報リストとの比較を行い撮像装置１００と接続可能な何れかの電子機器であるかによって分岐する。取得した機器情報が接続可能な電子機器に該当する場合、処理はステップＳ４０６へ進む。そうでない場合、処理はステップＳ４００へ進む。
【００３７】
ステップＳ４０６では、通信で使用する以外の電源が操作ユニット端子１０９と表示ユニット端子１１０と音声ユニット端子１１１において共通の位置に配置されている端子から行われる。電源部１１５から操作ユニット端子１０９もしくは表示ユニット端子１１０もしくは音声ユニット端子１１１を通じて操作ユニット端子２０１および表示ユニット端子２０２および音声ユニット端子２０３へ供給される。
【００３８】
ステップＳ４０７では、電子機器毎にあらかじめ定められたシーケンスに従い操作ユニット２０４および表示ユニット２０６および音声ユニット２０８を起動させる。また、前記シーケンスとは電子機器におけるレジスタ値読み出しやレジスタ値入力等の動作を含んでいる。
【００３９】
ステップＳ４０８では、電子機器との通信が開始され、操作ユニット２０４および表示ユニット２０６および音声ユニット２０８と制御部１０７が通信により情報のやりとりを開始する。
【００４０】
このように、実施形態２では、実施形態１の動作に加え、電子機器毎に対応した起動手段に従って電子機器を起動させたのちに、通信に関する以外の電源を供給することができる。これにより、実施形態２では、誤接続時に電気信号の衝突や電源のショートによる機器の破損を防ぎ、安心して使えるとともに、接続する電子機器の拡張性を高くすることができ、利便性の高い撮像装置１００を構築することができる。
【００４１】
［実施形態３］
次に、図１、図２及び図５を参照し、実施形態２を説明する。実施形態３に係る撮像装置１００が有する構成要素は、実施形態１と同様であるため、それらの説明を省略する。実施形態３に係る撮像システムが有する構成要素も、実施形態１と同様であるため、それらの説明を省略する。
【００４２】
図５は実施形態３における撮像装置１００で行われる処理の一例を説明するためのフローチャートである。下記の各ステップは、制御部１０７において操作ユニット端子１０９および表示ユニット端子１１０および音声ユニット端子１１１のそれぞれについて並列して実行される。
【００４３】
ステップＳ５００では、コネクタのとある端子にかかる電圧を制御部１０７にてＡ／Ｄ変換を行い電圧値を読み取る。この端子は操作ユニット端子１０９であっても表示ユニット端子１１０であっても音声ユニット端子１１１であっても同じ端子位置に配置される。
【００４４】
ステップＳ５０１では、読み取った電圧値と制御部１０７に記憶されている電圧値と配線配置が関連付けられた図示しないテーブル値の比較を行い何れかの配線配置に該当する値かによって分岐する。読み取った電圧値がテーブル値のいずれかに該当する値である場合、処理はステップＳ５０２へ進む。そうでない場合、処理はステップＳ５００へ進む。
【００４５】
ステップＳ５０２では、読み取った電圧値と、配線配置と電圧値が関連付けられたテーブル値の比較を行い配線配置の判定を行う。
【００４６】
ステップＳ５０３では、通信用電源回路１１２から通信にのみ用いられる電圧もしくは電流が制限された電源の供給を行う。操作ユニット端子１０９に対応する通信用電源回路１１２から操作ユニット端子１０９を経由して操作ユニット端子２０１へ供給される。表示ユニット端子１１０および音声ユニット端子１１１についても同様に通信用電源回路１１３および通信用電源回路１１４から表示ユニット端子２０２および音声ユニット端子２０３へ供給される。
【００４７】
ステップＳ５０４では、接続された電子機器である操作ユニット２０４および表示ユニット２０６および音声ユニット２０８と制御部１０７が通信を行い機器情報を取得して電子機器の判定を行う。
【００４８】
ステップＳ５０５では、通信により取得した機器情報と制御部１０７に記憶されている図示しない機器情報リストとの比較を行い撮像装置１００と接続可能な何れかの電子機器であるかによって分岐する。取得した機器情報が接続可能な電子機器に該当する場合、処理はステップＳ５０６へ進む。そうでない場合、処理はステップＳ５００へ進む。
【００４９】
ステップＳ５０６では、通信で使用する以外の電源が操作ユニット端子１０９と表示ユニット端子１１０と音声ユニット端子１１１において共通の位置に配置されている端子から行われる。電源部１１５から操作ユニット端子１０９もしくは表示ユニット端子１１０もしくは音声ユニット端子１１１を通じて操作ユニット端子２０１および表示ユニット端子２０２および音声ユニット端子２０３へ供給される。
【００５０】
ステップＳ５０７では、電子機器との通信が開始され、操作ユニット２０４および表示ユニット２０６および音声ユニット２０８と制御部１０７が通信により情報のやりとりを開始する。
【００５１】
ステップＳ５０８では、電子機器との通信により起動シーケンスに関わる情報を読み取り、取得したシーケンスに従い操作ユニット２０４および表示ユニット２０６および音声ユニット２０８を起動させる。また、前記シーケンスとは電子機器におけるレジスタ値読み出しやレジスタ値入力等の動作を含んでいる。
【００５２】
このように、実施形態３では、実施形態１の動作に加え、通信により取得した起動手順に従って電子機器を起動させることができる。これにより、実施形態３では、誤接続時に電気信号の衝突や電源のショートによる機器の破損を防ぎ、安心して使えるとともに、接続する電子機器の拡張性をさらに高くすることができ、より利便性の高い撮像装置１００を構築することができる。
【００５３】
［実施形態４］
次に、図１、図２及び図６を参照し、実施形態２を説明する。実施形態４に係る撮像装置１００が有する構成要素は、実施形態１と同様であるため、それらの説明を省略する。実施形態４に係る撮像システムが有する構成要素も、実施形態１と同様であるため、それらの説明を省略する。
【００５４】
図６は実施形態４における撮像装置１００で行われる処理の一例を説明するためのフローチャートである。下記の各ステップは、制御部１０７において操作ユニット端子１０９および表示ユニット端子１１０および音声ユニット端子１１１のそれぞれについて並列して実行される。
【００５５】
ステップＳ６００では、コネクタのとある端子にかかる電圧を制御部１０７にてＡ／Ｄ変換を行い電圧値を読み取る。この端子は操作ユニット端子１０９であっても表示ユニット端子１１０であっても音声ユニット端子１１１であっても同じ端子位置に配置される。
【００５６】
ステップＳ６０１では、読み取った電圧値と制御部１０７に記憶されている電圧値と配線配置が関連付けられた図示しないテーブル値の比較を行い何れかの配線配置に該当する値かによって分岐する。読み取った電圧値がテーブル値のいずれかに該当する値である場合、処理はステップＳ６０２へ進む。そうでない場合、処理はステップＳ６００へ進む。
【００５７】
ステップＳ６０２では、読み取った電圧値と、配線配置と電圧値が関連付けられたテーブル値の比較を行い配線配置の判定を行う。
【００５８】
ステップＳ６０３では、配線配置を判定した結果についてユーザへ表示部１１６から通知を行う。
【００５９】
ステップＳ６０４では、通信用電源回路１１２から通信にのみ用いられる電圧もしくは電流が制限された電源の供給を行う。操作ユニット端子１０９に対応する通信用電源回路１１２から操作ユニット端子１０９を経由して操作ユニット端子２０１へ供給される。表示ユニット端子１１０および音声ユニット端子１１１についても同様に通信用電源回路１１３および通信用電源回路１１４から表示ユニット端子２０２および音声ユニット端子２０３へ供給される。
【００６０】
ステップＳ６０５では、接続された電子機器である操作ユニット２０４および表示ユニット２０６および音声ユニット２０８と制御部１０７が通信を行い機器情報を取得して電子機器の判定を行う。
【００６１】
ステップＳ６０６では、通信により取得した機器情報と制御部１０７に記憶されている図示しない機器情報リストとの比較を行い撮像装置１００と接続可能な何れかの電子機器であるかによって分岐する。取得した機器情報が接続可能な電子機器に該当する場合、処理はステップＳ６０７へ進む。そうでない場合、処理はステップＳ６００へ進む。
【００６２】
ステップＳ６０７では、通信で使用する以外の電源が操作ユニット端子１０９と表示ユニット端子１１０と音声ユニット端子１１１において共通の位置に配置されている端子から行われる。電源部１１５から操作ユニット端子１０９もしくは表示ユニット端子１１０もしくは音声ユニット端子１１１を通じて操作ユニット端子２０１および表示ユニット端子２０２および音声ユニット端子２０３へ供給される。
【００６３】
ステップＳ６０８では、電子機器との通信が開始され、操作ユニット２０４および表示ユニット２０６および音声ユニット２０８と制御部１０７が通信により情報のやりとりを開始する。
【００６４】
このように、実施形態４では、実施形態１の動作に加え、取得した電圧値より配線配置を判定した結果をユーザに知らせることができる。これにより、実施形態４では、誤接続時に電気信号の衝突や電源のショートによる機器の破損を防ぎ、安心して使えるとともに、ユーザが接続を正しく認識でき使いやすい撮像装置１００を構築することができる。
【００６５】
［実施形態５］
次に、図１、図２及び図７を参照し、実施形態２を説明する。実施形態５に係る撮像装置１００が有する構成要素は、実施形態１と同様であるため、それらの説明を省略する。実施形態５に係る撮像システムが有する構成要素も、実施形態１と同様であるため、それらの説明を省略する。
【００６６】
図７は実施形態５における撮像装置１００で行われる処理の一例を説明するためのフローチャートである。下記の各ステップは、制御部１０７において操作ユニット端子１０９および表示ユニット端子１１０および音声ユニット端子１１１のそれぞれについて並列して実行される。
【００６７】
ステップＳ７００では、コネクタのとある端子にかかる電圧を制御部１０７にてＡ／Ｄ変換を行い電圧値を読み取る。この端子は操作ユニット端子１０９であっても表示ユニット端子１１０であっても音声ユニット端子１１１であっても同じ端子位置に配置される。
【００６８】
ステップＳ７０１では、読み取った電圧値と制御部１０７に記憶されている電圧値と配線配置が関連付けられた図示しないテーブル値の比較を行い何れかの配線配置に該当する値かによって分岐する。読み取った電圧値がテーブル値のいずれかに該当する値である場合、処理はステップＳ７０２へ進む。そうでない場合、処理はステップＳ７００へ進む。
【００６９】
ステップＳ７０２では、読み取った電圧値と、配線配置と電圧値が関連付けられたテーブル値の比較を行い配線配置の判定を行う。
【００７０】
ステップＳ７０３では、通信用電源回路１１２から通信にのみ用いられる電圧もしくは電流が制限された電源の供給を行う。操作ユニット端子１０９に対応する通信用電源回路１１２から操作ユニット端子１０９を経由して操作ユニット端子２０１へ供給される。表示ユニット端子１１０および音声ユニット端子１１１についても同様に通信用電源回路１１３および通信用電源回路１１４から表示ユニット端子２０２および音声ユニット端子２０３へ供給される。
【００７１】
ステップＳ７０４では、接続された電子機器である操作ユニット２０４および表示ユニット２０６および音声ユニット２０８と制御部１０７が通信を行い機器情報を取得して電子機器の判定を行う。
【００７２】
ステップＳ７０５では、電子機器を判定した結果についてユーザへ表示部１１６から通知を行う。
【００７３】
ステップＳ７０６では、通信により取得した機器情報と制御部１０７に記憶されている図示しない機器情報リストとの比較を行い撮像装置１００と接続可能な何れかの電子機器であるかによって分岐する。取得した機器情報が接続可能な電子機器に該当する場合、処理はステップＳ７０７へ進む。そうでない場合、処理はステップＳ７００へ進む。
【００７４】
ステップＳ７０７では、通信で使用する以外の電源が操作ユニット端子１０９と表示ユニット端子１１０と音声ユニット端子１１１において共通の位置に配置されている端子から行われる。電源部１１５から操作ユニット端子１０９もしくは表示ユニット端子１１０もしくは音声ユニット端子１１１を通じて操作ユニット端子２０１および表示ユニット端子２０２および音声ユニット端子２０３へ供給される。
【００７５】
ステップＳ７０８では、電子機器との通信が開始され、操作ユニット２０４および表示ユニット２０６および音声ユニット２０８と制御部１０７が通信により情報のやりとりを開始する。
【００７６】
このように、実施形態５では、実施形態１の動作に加え、通信により得た情報から電子機器を判定した結果をユーザに知らせることができる。これにより、実施形態５では、誤接続時に電気信号の衝突や電源のショートによる機器の破損を防ぎ、安心して使えるとともに、ユーザが接続機器を正しく認識でき使いやすい撮像装置１００を構築することができる。
【符号の説明】
【００７７】
１００  撮像装置
【図１】
2017022541.tif 000003
【図２】
2017022541.tif 000004
【図３】
2017022541.tif 000005
【図４】
2017022541.tif 000006
【図５】
2017022541.tif 000007
【図６】
2017022541.tif 000008
【図７】
2017022541.tif 000009